(57)【要約】【課題】幼児の成長や輸入品のベビーカーに合わせて左右の肩ベルトの通し高さを自在に選択できるように改良されたベビーカーやチャイルドシート用のシートカバーを提供する。【解決手段】ベビーカーＣのベビーシートｃに装着されるシートカバーＡであって、カバー本体１が、ベビーシートｃの座面ｃ−２および背凭れ面ｃ−２を覆う程度の大きさに形成され、かつ、背凭れ面ｃ−２に備えられている左右の肩ベルト３に対応する部位と座面ｃ−２に備えられている股ベルト４に対応する部位とにベルト通し部５、６をそれぞれ備え、左右の肩ベルト３が通される左右のベルト通し部５が、上下方向に延びるスリット形状に形成されている。【選択図】図２
0003140087.tif 000002
【実用新案登録請求の範囲】
【請求項１】
左右の肩ベルトと、この左右の肩ベルトが係脱自在に連結される股ベルトまたは胸当てパットと、を備えているベビーシートに装着されるシートカバーであって、
カバー本体は、前記ベビーシートの背凭れ面から座面を覆う程度の大きさに形成され、かつ、前記左右の肩ベルトに対応する部位と前記股ベルトまたは胸当てパットに対応する部位とにベルト通し部をそれぞれ備え、
前記ベルト通し部のうち、前記左右の肩ベルトが通される左右のベルト通し部が、少なくとも上下方向に延びるスリット形状に形成されていることを特徴とするシートカバー。
【請求項２】
前記カバー本体の上辺縁の両側に、止め手段が備えられていることを特徴する請求項１に記載のシートカバー。
【考案の詳細な説明】
【技術分野】
【０００１】
本考案は、ベビーカーやチャイルドシートなどのベビーシートに装着されて使用されるシートカバーに関する。
【背景技術】
【０００２】
散歩や買い物のときなどに幼児を連れ出すときに使用されるベビーカー、そして車で出かけるときに使用されるチャイルドシートなどのベビーシートには、汗や食べ物などから、ベビーシートの汚れを保護する目的などでシートカバーを装着する傾向にある。
例えば、温暖化現象にある近年では、夏場などにおいて汗などによる不快感などを幼児に与えることなく、快適に座らせるために、通気性を有するメッシュなどの素材を用いて形成されているシートカバーをベビーシートに装着する傾向が特に増えてきている。そこで、マット形態やクッション形態などに形成されているシートカバーが提案されている（例えば、特許文献１及び特許文献２などを参照）。
【０００３】
ところで、ベビーカーやチャイルドシートなどのベビーシートには、移動中などにおけるサポートのために、幼児の両肩部や股部、そして腰部などを拘束する３点式や５点式などからなる左右の肩ベルトや股ベルトまたは胸当てパットなどが備えられている。
また、近年、日本国内で販売されているベビーカーは、国内で製造されている国内品のみに限らず、海外から輸入されてきている輸入品が目立つ傾向が多く見られる。
【特許文献１】登録実用新案第３０５５５１４号公報（段落番号００１６、００１７、００２６、及び図１、図３参照）
【特許文献２】特開２００２−２１１２８６号公報（段落番号００２２、００２４、及び図５参照）
【考案の開示】
【考案が解決しようとする課題】
【０００４】
ところで、シートカバーをベビーシートに装着するときに、ベビーシートの背凭れ面に備えられている左右の肩ベルトを通すためにシートカバーに備えられている左右のベルト通し部は、所定の高さ位置（左右の一ヶ所）においてベルト幅に相当する単なる孔形状として設けられているために、幼児の成長（体格）に応じて左右の肩ベルトの上下位置（高さ位置）を自在に変更するなどの位置選択をすることができないものであった。
特に、輸入品のベビーカーは、国内品のベビーカーに比べて一回りほど大型であり、そのために、ベビーシートの背凭れ面に備えられている左右の肩ベルトの高さ位置も高くなっている傾向が見られ、このような輸入品のベビーカーには従来のシートカバーを装着して使用することができないものとなっていた。
【０００５】
そこで、本考案は、前記課題を解消するために創案されたものであり、幼児の成長や輸入品のベビーカーに合わせて左右の肩ベルトの通し高さを自在に位置選択できるように改良されたベビーカーやチャイルドシートなどのベビーシート用のシートカバーを提供することにある。
【課題を解決するための手段】
【０００６】
前記課題を解決するために、本考案では、左右の肩ベルトと、この左右の肩ベルトが係脱自在に連結される股ベルトまたは胸当てパットと、を備えているベビーシートに装着されるシートカバーであって、
カバー本体は、前記ベビーシートの背凭れ面から座面を覆う程度の大きさに形成され、かつ、前記左右の肩ベルトの根元に対応する部位と前記股ベルトまたは胸当てパットの根元に対応する部位とにベルト通し部をそれぞれ備え、前記ベルト通し部のうち、前記左右の肩ベルトが通される左右のベルト通し部が、少なくとも上下方向に延びるスリット形状に形成されていることを特徴とする。
ここで、前記カバー本体の上辺縁の両側に、例えば、ベビーカーのベビーシートの背凭れ面の背後において斜め上方に延設する車体フレームの左右の手押し杆などに巻き付けるようにして係脱自在に取り付けるための止め手段が備えられていることが好適なものとなる。そして、この両側の止め手段としては、一端がカバー本体に縫着などによって取り付けられて、例えば、前記左右の手押し杆に蒔きつけられるように適宜の長さを有する連繋部材と、この連結部材の他端側に取り付けられてワンタッチ操作で略嘴状に開閉し、前記連繋部材を挟み込む（銜え込む）ように形成されている止め部材とを備えて構成されているものとすることが好適なものとなる。
【０００７】
このような構成によれば、例えば、カバー本体を、国内品のベビーカーや輸入品のベビーカーのベビーシートに装着するときに、それぞれのベビーシートの背凭れ面に備えられている左右の肩ベルトの高さ位置、特に、肩ベルトの引き出し根元の高さ位置に応じて、上下方向に延びるスリット形状に左右のベルト通し部の任意位置から制約されることなく、左右のベルト通し部を通してカバー本体の表面側に引き出すことができる。
【考案の効果】
【０００８】
本考案のシートカバーは、以上のように構成されているとで、幼児の成長（体格）、そして国内品や輸入品のベビーカー問わずに、それぞれのベビーカーに備えられている左右の肩ベルトの高さ位置を応じた高さにて肩ベルトを通して、それぞれのベビーカーのベビーシートに自在に装着することができる。
【０００９】
また、カバー本体の上辺縁の両側に備えられている止め手段を、例えば、ベビーカーの場合、ベビーシートの背凭れ面の背後から斜め上方の存在する車体フレームの手押し杆などに取り付けることで、カバー本体がずり落ちるなどのおそれをなくして、ベビーシートに装着することができる。
【考案を実施するための最良の形態】
【００１０】
以下、本考案の実施形態について、適宜図面を参照しながら詳細に説明する。
図１は、本実施形態に係るシートカバーを示す斜視図であり、図２は、同シートカバーをベビーカーに使用したときの装着状態を示す斜視図である。
【００１１】
≪シートカバー構成≫
シートカバーＡは、図１に示すように、カバー本体１と、このカバー本体１の上辺縁の両側にそれぞれ取り付けられる止め手段２とを備えて構成されている。
【００１２】
≪カバー本体の構成≫
カバー本体１は、例えば、通気性に優れ、柔らかなディンプル生地などからなる内張り素材を施しているシート地材を用いて形成されている。これにより、特に、夏場などにおいて汗などによる不快感などを幼児Ｂに与えないようにしている。
そして、カバー本体１は、図１および図２に示すように、ベビーカーＣのベビーシートｃの背凭れ面ｃ−１から座面ｃ−２を覆う程度の大きさを有する略縦長の矩形形状に形成されている。
【００１３】
また、カバー本体１は、ベビーシートｃに装着されるときに、背凭れ面ｃ−１に備えられている左右の肩ベルト３と、座面ｃ−２に備えられている股ベルト４を通して引き出すためのベルト通し部５，６をそれぞれ備えている。
また、カバー本体１は、図１に示すように、上下辺縁および両側辺縁が縁取り処理されている。
【００１４】
≪ベルト通し部の構成≫
ベルト通し部５，６のうち、その一方側のベルト通し部５は、左右の肩ベルト３の背凭れ面ｃ−１からの飛び出し高さが、幼児Ｂの成長（体格）に合わせて変更される。または、ベビーカーＣを製造販売している国内メーカー、そして輸入品などによって異なる場合において、さまざまなベビーカーＣと、後記のチャイルドシートＤに合わせてカバー本体１を装着可能なように、上下方向に長く、しかも、上側をカバー本体１の内側に、下側をカバー本体１の外側に向けて湾曲させたスリット形状に形成されている。
また、ベルト通し部５は、カバー本体１の内側に向けて連設するように湾曲された中央部位が開不能に縫着などによって連結されている。
これにより、例えば、図２および後記の図３に示すように、幼児Ｂの成長に合わせて左右の肩ベルト３の背凭れ面３からの飛び出し高さを変更したときには、その飛び出し高さにおいて左右の肩ベルト３をベルト通し部５からカバー本体１の表面側に制約されるとこんなく、速やかに引き出すことができる。
また、ベルト通し部５は、スリット形状の裁断縁に沿うようにそれぞれ縁取り処理が施されている。
【００１５】
また、他方側のベルト通し部６は、図１に示すように、座面ｃ−２の略中央部位からカバー本体１の下辺縁に向けて、前記のベルト通し部５と同じく、さまざまなベビーカーＣと、後記のチャイルドシートＤに合わせてカバー本体１を装着可能なように、中央部位に大きめに開口させた孔形状に形成されている。
また、ベルト通し部６は、開口縁に沿うように縁取り処理が施されている。
【００１６】
≪止め手段の構成≫
止め手段２は、図２に示すように、カバー本体１の上辺縁の両側を、ベビーカーＣの車体フレーム７を構成する左右の手押し杆８などに係脱自在に取り付けられることで、ベビーシートｃの背凭れ面ｃ−１からカバー本体１がずり落ちないように保持するためのものである。
この止め手段２は、図１に示すように、カバー本体１の上辺縁の両側に縫着などによって一端側が取り付けられるベルトと紐などから適宜の長さに形成されている連結部材２ａと、この連結部材２ａの他端側に取り付けられる開閉可能な止め部材２ｂとを備えて構成されている。
止め部材２ｂは、プッシュするなどのワンタッチ操作によって略嘴状に開閉し得るように形成されている。
すなわち、止め部材２ｂは、図１の拡大図に示すように、一対の挟持片部２ｂ−１，２ｂ−２の一方側を他方側に回動（傾動）可能に枢着し、この枢着部を支点に他方側が一方側に対し、略嘴状に開閉し得るように形成されている（実線の開状態から二点鎖線の閉状態参照）。
これにより、例えば、図２に示すように、連結部材２ａを左右の手押し杆８にそれぞれに巻き付けた状態で、連繋部材２ａの一部を挟み込む（銜え込む）ように、該連繋部材２ａに取り付けられるようになっている。
【００１７】
［作用説明］
つぎに、以上のように構成されている本実施形態に係るシートカバーＡをベビーカーＣのベビーシートｃの使用について簡単に説明する。
図３は、図２に示すシートカバーの装着状態よりも、左右の肩ベルトの高さが低いベビーカーに使用したときの装着状態を示す斜視図である。ここでは、図２を適宜参照しながら説明する。
まず、図２に示すように、左右の肩ベルト３の背凭れ面ｃ−１からの飛び出し高さが高い場合ときには、カバー本体１に備えられている左右のベルト通し部５の上部側を通して左右の肩ベルト３をカバー本体１の表面側に引き出し、つぎに、座面ｃ−２に備えられている股バンド４をベルト通し部６からカバー本体１の表面側に引き出す。
そして、このようにして、カバー本体１をベビーシートｃの背凭れ面ｃ−１から座面ｃ−２に沿うように宛がった後に、カバー本体１の上辺縁の両側に備えられている止め手段２の連結部材２ａを、背凭れ面ｃ−１の上辺部から斜め上方に向けて存在するベビーカーＣの左右の手押し杆８に巻き付け、連結部材２ａの一部を挟み込むように止め部材２ｂを取り付ける。これにより、図２に示すように、シートカバーＡをベビーカーＣのベビーシートｃに装着することができる。
【００１８】
一方、図２に示すシートカバーＡの装着状態よりも、左右の肩ベルト３の背凭れ面ｃ−１からの飛び出し高さが低い場合には、図３に示すように、左右の肩ベルト３の飛び出し高さに位置する左右のベルト通し部５の上下方向の途中部位から左右の肩ベルト３をカバー本体１の表面側に引き出す。
そして、前記したように、座面ｃ−２から飛び出している股バンド４をベルト通し部６からカバー本体１の表面側に引き出した後に、止め手段２の連結部材２ａを、背凭れ面ｃ−１の上辺部から斜め上方に向けて存在する左右の手押し杆８に巻き付け、連結部材２ａの一部を挟み込むように止め部材２ｂを取り付けることにより、シートカバーＡを、左右の肩ベルト３の背凭れ面ｃ−１からの飛び出し高さが低いベビーカーＣのベビーシートｃに装着することができる。
【００１９】
つぎに、本実施形態に係るシートカバーＡをチャイルドシートＤに使用するときについて簡単に説明する。
図４は、本実施形態に係るシートカバーをチャイルドシートに使用したときの装着状態を示す斜視図である。
図４に示すように、背凭れ面ｄ−１に備えられている左右の肩ベルト９をカバー本体１の左右のベルト通し部５からカバー本体１の表面側に引き出し、つぎに、座面ｄ−２に備えられている胸当てパット１０をベルト通し部６からカバー本体１の表面側に引き出す。
そして、このようにして、カバー本体１をチャイルドシートＤの背凭れ面ｄ−１から座面ｄ−２に沿うように宛がった後に、カバー本体１の上辺縁の両側に備えられている止め手段２の連結部材２ａを背凭れ面ｄ−１の後側に回して、図示省略の止め部材２ｂを、例えば、車両座席のシートベルトやシートカバーを挟み込むように取り付ける。これにより、シートカバーＡをチャイルドシートＤに装着することができる。
【００２０】
なお、本考案の実施形態の具体的な構成は、前記した実施形態に限られるものではなく、請求項１および請求項２に記載の本考案の要旨を逸脱しない範囲で設計変更などがあっても本考案に含まれるものである。
例えば、カバー本体１を、ベビーカーＣのベビーシートｃやチャイルドシートＤの背凭れ面ｃ−１，ｄ−１および座面ｃ−２，ｄ−２の外周輪郭に沿う輪郭形状に形成することができる。すなわち、車両シートのシートカバーのようにカバー本体１を形成することができる。
【００２１】
また、止め手段２としては、２本の紐を用いて形成することができる。すなわち、カバー本体１の上辺縁の両側に２本の紐をそれぞれ備えて、例えば、ベビーカーＣの左右の手押し杆８に縛り付けるように、カバー本体１の上辺縁を取り付けることができる。また、１本の紐の他端側に止め部材として、ホックやその他の係脱自在な止め具を用いて形成することができる。
【図面の簡単な説明】
【００２２】
【図１】本実施形態に係るシートカバーを示す斜視図である。
【図２】同シートカバーを、ベビーカーのベビーシートに装着した状態を示す斜視図である。
【図３】同シートカバーを、ベビーカーのベビーシートに装着した状態の他の実施形態を示す斜視図である。
【図４】同シートカバーを、チャイルドシートに装着した状態の一例を示す斜視図である。
【符号の説明】
【００２３】
Ａ      シートカバー
１      カバー本体
２      止め手段
２ａ    連結部材
２ｂ    止め部材
３、９  肩ベルト
４      股ベルト
５，６  ベルト通し部
１０    胸当てパット
Ｂ      幼児
Ｃ      ベビーカー
ｃ      ベビーシート
Ｄ      チャイルドシート
【図１】
0003140087.tif 000003
【図２】
0003140087.tif 000004
【図３】
0003140087.tif 000005
【図４】
0003140087.tif 000006